(57)【特許請求の範囲】
【請求項１】
円筒状の外周に流入口と排出口とを有する本体部と、
前記本体部に対して回転可能で液密に装着可能であり、前記流入口と排出口とを連通可能にさせる流体通路を有する流路切換部とを備え、
該流路切換部に、該流路切換部の回転面に対して垂直方向であって流体通路に対して開口する開口部が備えられて、該流路切換部の回転位置がいずれの状態であっても前記開口部から前記流体通路に薬液の注入が可能であり、かつ該開口部に該開口部を密閉する密閉パッキンが備えられ、
前記流路切換部における流体通路は、外周側の一方が開放されているＵ字形の構造を有し、該Ｕ字形の流体通路における閉鎖領域側の内曲面が、流路切換部の回転軸の中心を超えて形成されていることを特徴とする三方活栓。
【請求項２】
前記密閉パッキンの開口部側の上部表面が凹面状であり、該開口部側上部表面に凸状の突起部が設けられ、該突起部の中心に密閉パッキンの上下表面を貫通する切込みが存在することを特徴とする請求項１に記載の三方活栓。
【請求項３】
前記本体部および前記流路切換部を係合して、前記流路切換部を固定する固定機構を備えるものであることを特徴とする請求項１または２に記載の三方活栓。
【請求項４】
請求項１〜３のいずれかに記載の三方活栓を備えた、カテーテル。
【請求項５】
請求項１〜３のいずれかに記載の三方活栓と、輸液ルートと、カテーテルとを有する、薬液注入装置。
【発明の詳細な説明】
【技術分野】
【０００１】
本発明は三方活栓、それを用いたカテーテルおよび薬液注入装置に関する。
【背景技術】
【０００２】
従来より、輸液セット、血液回路等の切換手段として三方活栓が用いられている。また三方活栓は、輸液、経腸栄養剤等の投与時に、メインの薬液に対し、側管ルートとして時間注射や、追加の栄養剤を投与するのにも使用される。【０００３】
従来の三方活栓は、Ｔ字管の分岐部に３方向に穴の空いたコックを取り付け、任意の方向に薬液を流す構造を有し、１本の輸液ルートで複数種の薬液を注入することが可能である。【０００４】
たとえば、図９−１のような従来のＴ字管型三方活栓２２において、本管ルート２３に側管ルート２４から追加の薬剤を注入する場合、コック２５を図９−２のような配置にして、側管から薬剤を注入する。薬剤が注入し終わったら図９−３に示す位置にコック２５を回転させ本管ルートを形成し、メインの薬液を投与することができる。【０００５】
しかし、このような三方活栓においては、追加の薬剤を注入する場合、本来閉鎖環境が好ましい輸液ルートが外気と接触する可能性があること、図９−３に示すように追加の薬液に起因する、Ｔ字コック内にできる死腔２６が原因となり感染の可能性があるなどの問題があった。死腔とは、輸液投与中に流れが滞ったり、液だまりなどとして、輸液管内に残る部分である。死腔の発生により、細菌の繁殖などが促進される場合があり、死腔の発生を極力低減することが求められている。【０００６】
このため、近年、図１０−１、図１０−２に示すようなインジェクションプラグ付きセット（図１０−１が複連式インジェクションプラグ付きセット２７、図１０−２がＹ管式インジェクションプラグ付きセット２８）と呼ばれる、プラグに針を刺す構造を有する閉鎖ルートで感染の可能性を低減させた輸液セットが用いられている。これらは、その構造上、インジェクションプラグ２９、あるいはＹサイト３０を直列し三方活栓を有していないため、三方活栓のように強制的に流路変更ができない。このため、逆止弁をルート内に取り付けたり、プラグ２９あるいはＹサイト３０から薬液を患者サイドに注入するために、輸液剤側のチューブ３１をクリップ３２などで止めなければならず、さもないと追加の注射薬が輸液方向に逆流してしまうという問題があった。【０００７】
図１１に示すように、従来の三方活栓にインジェクションプラグ３４を取り付けた活栓３３も用いられているが、この場合、インジェクションプラグ３４とコック２５との間に、追加の薬液等に起因する死腔２６がかえって増加してしまい、感染の危険性があるという問題があった。【０００８】
一方、ストップコックで操作される三方活栓のうちａ方向活栓、ｂ方向活栓およびｃ方向活栓を有し、上記ａ、ｂ、ｃ方向と直角方向（ｄ方向）に第１の一方弁が設けられ、この第１の一方弁に別のシリンジを装着することによりｄ方向の活栓を形成する一方弁付き三方活栓を備えた医療用活栓も知られている（特許文献１）。しかしながら、当該文献には、ストップコックの構造は明示されておらず、また、使用形態から図９あるいは図１１と同様の従来型のＴ方向のルート分岐部の流路を変更するバルブを使用していることが明確であり、追加の薬液の注入等に起因する死腔を抑制できないという問題がある。
【特許文献１】特開平７−１００２１２号公報
【発明の開示】
【発明が解決しようとする課題】
【０００９】
本発明は、上記のような従来技術に伴う問題を解決しようとするものであって、薬液または輸液の停留をなくすことにより死腔の発生をなくし、しかも密閉性を保ったまま追加の薬液を注入できる三方活栓を提供することを課題とする。
【課題を解決するための手段】
【００１０】
本件発明者らは、上記課題を解決すべく鋭意研究し、特殊な構造を有する流路切換部を用いることにより、三方活栓内の流体の通路部分における薬液の停留がなくなり死腔が発生せず、密閉状態を保持したままで追加の薬液を注入できることを見いだし本件発明を完成するに至った。すなわち本件発明は以下を含むものである。【００１１】
〔１〕本発明に係る三方活栓は、円筒状の外周に流入口と排出口とを有する本体部と、
前記本体部に対して回転可能で液密に装着可能であり、前記流入口と排出口とを連通可能にさせる流体通路を有し、回転面に対して垂直方向であって流体通路に対して開口する開口部を備え、かつ該開口部に該開口部を密閉する密閉パッキンが備えられた流路切換部とを備え、
前記流路切換部における流体通路は、外周側の一方が開放されている構造を有することを特徴とする。
【００１２】
なお、本明細書において、「本管ルート」とは、流体通路が流入口と排出口とを連通させたルートを意味し、「側管ルート」とは、開口部から流入口または排出口に至るルートを意味する。
前記「流路切換部における流体通路が、外周側の一方が開放されている構造」とは、本体部内に装着された流路切換部において、流体通路が、従来の三方活栓の有する円筒状の閉鎖空間ではなく、流路切換部内の流体通路の外周側の一方が、開放された開放空間であることを意味する。したがって、たとえば流入口と排出口とが連通している状態においては、流体通路は、流路切換部内に形成された流体通路の内壁と、本体部の内壁とにより規定される。より詳しくは、前記流体通路の内壁のうち、流路切換部における流体通路の開放された外周側の内壁は本体部内壁で形成される。【００１３】
前記流路切換部において流体通路が外周側の一方が開放されている構造において、前記流路切換部を前記本体部に対して回転操作させて前記流入口および排出口のいずれか一方を遮断すると、他方を流体通路と連通させ、側管ルートを形成させることができる。
具体的には、前記流路切換部の流体通路が、その外周側の一方が開放されている構造において、流路切換部を回転させて、たとえば流入口からの通路を遮断しつつ、同じ流体通路の全体が排出口につながる状態とすると、排出口側に側管ルートを形成させる状態となる。【００１４】
また、前記流路切換部の流体通路が、その外周側の一方が開放されている構造において、流路切換部を回転させて、たとえば排出口からの通路を遮断しつつ、同じ流体通路の全体が流入口につながる状態とすると、流入口側に側管ルートを形成させる状態となる。【００１５】
さらに、同様の構造において、流路切換部を回転させて、側管ルートから、流入口と排出口とを連通させた本管ルートを形成させると、前記側管ルートを形成していたのと同じ流体流路が、全体で本管ルートを形成する。
【００１６】
このような構造により、流体通路は常時液体が流れる構造を保てることから、輸液の停留が解消され、死腔の発生がない。【００１７】
また、回転面に対して垂直方向であって流体通路に対して開口する開口部を備えた構造において、本管ルートおよび側管ルートのいずれの状態が形成されていても、開口部に設けられた密閉パッキンに注射器等を装着して、同一の流体通路を経て薬液を排出口に注入することができる。なお、回転面とは、回転軸に垂直な面を意味する。
この場合、たとえば本管ルートが連通している場合、本管ルートが遮断され側管ルートが形成されている場合のいずれの場合においても、所望のタイミングで開口部から追加の薬液を密閉状態を保持したままで流体通路に注入することができる。【００１８】
該流体通路は、本管ルートが形成された際、流入口および排出口を円滑に連通させることができる形状および位置に形成され、かつ、側管ルートが形成された際、流入口または排出口を円滑に連通させる形状および位置に形成されていることが好ましい。
具体的には、流路切換部における流体通路は、外周側が開放状態のＵ字形であることが好ましく、Ｕ字部の開放部の高さは流入口および排出口の内壁の直径と同じで、Ｕ字部の閉鎖領域の内曲面は、流入口および排出口の内径と同様の曲率および曲率半径を有することがより好ましい。【００１９】
〔２〕前記密閉パッキンの開口部側の上部表面は凹面状であり、該開口部側上部表面に凸状の突起部が設けられ、該突起部の中心に密閉パッキンの上下表面を貫通する切込みが存在することが好ましい。
この密閉パッキンは、切込みを有し、注射器のテーパー部分を直接挿入できる構造となっている。これらテーパー部分を切込みに挿入して、薬液を注入したり、内部の薬液を採取できる。この機構は、注射針がゴム栓を貫通する際と同様に、挿入部品とゴムとの間に摩擦が発生することから内部に細菌が侵入し難い構造である。【００２０】
この密閉パッキンは、注射器のテーパー部分が挿入される際に、膨張する必要があるため、開口部周辺と密閉パッキンとの間に空間を必要とするが、これら空間は外部および内部とは交通しない。【００２１】
密閉パッキンの流体通路側の表面は、凹状構造を有し、密閉パッキンの中心に凸状の突起を有していることが好ましい。切込みは、凸状突起の中心に存在することが好ましい。凸状突起の周辺が突起に対して凹状となる構造において、流体通路方向から外部に圧力がかかると、突起がより閉まる。したがって、当該構造が、逆止弁として作動する。
また、外部から薬液を注入するための切込み部分周辺の密閉パッキン表面は滑らかで消毒薬による拭き取りがし易いものであることが好ましい。【００２２】
本発明に係る三方活栓においては、前記流路切換部は、流路切換部の回転を容易にし、流路方向を示すためのレバーを有していてもよい。このようなレバーを有していれば、誤方向に液体を注入する過誤を予防できる。【００２３】
〔３〕前記本体部および前記流路切換部を係合して、前記流路切換部を固定する固定機構を備えていてもよい。
このような固定機構を備えることにより、流路変更をしないときにはレバーを折りたたんで固定できるため、誤ってレバーが移動してしまうなどの事故を未然に防ぐことができる。【００２４】
以上の本発明の三方活栓は、医療用三方活栓として好適に用いることができる。すなわち、前記流路切換部の流体通路は外周側の一方が開放されている構造であるため、流体通路は常時液体が流れる構造を保てることから、輸液の停留が解消され、死腔の発生がない。その結果、細菌の繁殖等の心配がなく、医療用に特に適する。【００２５】
〔４〕本発明に係るカテーテルは、前記三方活栓を備えていることを特徴としている。
〔５〕本発明に係る薬液注入装置は、前記三方活栓と、輸液ルートと、カテーテルとを有することを特徴としている。
前記カテーテルは、カテーテルの片末端が本発明の三方活栓の排出口に接続されている。
前記薬液注入装置は、輸液ルートの片末端が本発明の三方活栓の流入口に接続され、カテーテルの片末端が本発明の三方活栓の排出口に接続されている。
これらカテーテルおよび薬液注入装置は、本発明の三方活栓を有しており、前記流路切換部の流体通路は外周側の一方が開放されている構造であるため、流体通路は常時液体が流れる構造を保てることから、輸液の停留が解消され、死腔の発生がない。その結果、細菌の繁殖等の心配がない。
前記カテーテル、輸液ルートは、公知のものを用いることができ、特に限定されない。
【図面の簡単な説明】
【００２６】
【図１】図１は、本発明の三方活栓の例を示す斜視図であり、図１−１は本管ルートが連通しているときの例を示し、図１−２は流入口が開口部と連通して側管ルートを形成しているときの例を示し、図１−３は排出口が開口部と連通して側管ルートを形成しているときの例を示す図である。
【図２】図２は、本発明で用いることのできる、外筒部と流路切換部とが分離している場合の流路切換部、外筒部および密閉パッキンを分解した例を示す図である。図２−１は外筒部の正面図、図２−２は流路切換部の側面図、図２−３は密閉パッキンの正面図、図２−４は流路切換部の正面図を示す。
【図３】図３は、本発明で用いることのできる本体部の例を示す図である。図３−１は本体部の平面図、図３−２は正面図、図３−３は側面図を示す。
【図４】図４は、本発明で用いることのできる密閉パッキンの例を示す図である。図４−１は斜視図であり、図４−２は正面図を示す。
【図５】図５は、本発明で用いることのできる密閉パッキンを固定する手段の一例を示した斜視図である。
【図６】図６は、密閉パッキンを固定した一例を示した本発明の正面図および側面図である。図６−１は、本管ルートが形成されている場合の正面図、図６−２は側面図であり、図６−３は側管ルートが形成されている場合の正面図、図６−４は側面図である。
【図７】図７は、本発明の三方活栓において、本体部と流路切換部とを固定する固定機構の一例を示す斜視図である。図７−１は固定機構により流路切換部が固定されている例を示す図であり、図７−２は流路切換部が回転可能な状態を示す図である。
【図８】図８は、本発明に係る三方活栓の一例の分解図である。
【図９】図９は、従来のＴ字管型三方活栓のＴ字管による流路切換を模式的に示した図である。図９−１は本管ルートおよび側管ルートがともに連通している状態、図９−２は側管ルートが連通している状態、図９−３は本管ルートが連通している状態を示す図である。
【図１０】図１０は、従来のインジェクションプラグ付きセットの模式図を示す図である。図１０−１は複連式インジェクションプラグ付きセット、図１０−２はＹ管式インジェクションプラグ付きセットの例を示す図である。
【図１１】図１１は、従来のＴ字管型三方活栓にインジェクションプラグを付けたセットの流路切換部位を模式的に示した図である。
【符号の説明】
【００２７】
１  三方活栓
２  本体部
３  流入口
４  排出口
５  流路切換部
６  流体通路
７  開口部
８  密閉パッキン
９  切込み
１０  突起部
１１  凹面状の表面
１２  リング
１３  折り返し部
１４  外筒部
１５  固定機構
１６  ストッパー
１７  固定キャップ
１８  留め具
１９  止め受け
２０  回転突起部
２１  下部開口部
２２  Ｔ字管型三方活栓
２３  本管ルート
２４  側管ルート
２５  コック
２６  死腔
２７  複連式インジェクションプラグ付きセット
２８  Ｙ管式インジェクションプラグ付きセット
２９  インジェクションプラグ
３０  Ｙサイト
３１  チューブ
３２  クリップ
３３  活栓
３４  インジェクションプラグ
【発明を実施するための最良の形態】
【００２８】
次に、本発明の三方活栓について図面を参照しながら具体的に説明するが、本発明はこれらによって何ら限定されるものではない。【００２９】
図１−１に示すように、本発明に係る三方活栓１は、円筒状の外周に流入口３と排出口４とを有する本体部２と、該本体部２の中に回転可能で液密に装着された流路切換部５とを有し、流路切換部５は、流体通路６、回転面に対して垂直方向に開口した開口部７とを有している。流路切換部５は、密閉パッキン８を収納する外筒部１４と一体化していてもよいし、分離していてもよい。開口部７には開口部を密閉する密閉パッキン８が備えられている。図１−１においては、流体通路６は、流入口３および排出口４を連通させ本管ルートが形成されている。
流路切換部５における流体通路６は、外周側の一方が開放されている構造を有している。このため、流体通路６の流体通路方向に垂直な面の断面は、たとえば、外周方向が開放されたＵ字状あるいは凹状となっていることが好ましく、Ｕ字状であることがより好ましい。【００３０】
本体部２および流路切換部５の材質は、たとえば、ポリカーボネート、ＡＢＳ樹脂、ポリエチレン樹脂、ポリプロピレン樹脂、ナイロン樹脂、シリコーンゴム、天然ゴム、ブチルゴム、イソプレンゴムまたはニトリルゴムなどが挙げられ、このうち、本体部２がポリカーボネート、ＡＢＳ樹脂、ポリエチレン樹脂、ポリプロピレン樹脂またはナイロン樹脂であることが好ましく、流路切換部５がシリコーンゴム、天然ゴム、ブチルゴム、イソプレンゴムまたはニトリルゴムであることが好ましい。このような材料を用いると、流路切換部５と本体部２の内壁との間の液密性を維持したまま、流路切換部５を円滑に回転させることができる。【００３１】
密閉パッキンの材質は、たとえば、シリコーンゴム、天然ゴム、ブチルゴム、イソプレンゴムまたはニトリルゴムなど公知の材料を用いることができる。このうちでは、シリコーンゴムであることが好ましい。このような材料を用いると、密閉性を維持しながら注射器等の挿入を行うことができるとともに、耐久性に優れる。【００３２】
図１−２は、流路切換部５を回転させて、流入口３と流体通路６が連通し側管ルートが形成された例である。この場合、流路切換部５により排出口４は流体通路６とは遮断され、開口部７と通じえない位置にある。この場合、密閉パッキン８の切込み９に注射器のテーパー部分等を挿入して、輸液の取り出し、エアー抜きなどを、密閉性を保ったままで行うことができる。【００３３】
図１−３は、流路切換部５を回転させて、排出口４と流体通路６が連通するようにした例である。この場合、流路切換部５により流入口３は流体通路６とは遮断され、開口部７と通じえない。この場合、密閉パッキン８の切込み９にシリンジを挿入して、追加の薬液の注入等を、密閉性を保ったままで行うことができる。【００３４】
従来の三方活栓と異なり、流路切換部５の回転により、一つの流体通路６が全体で本管ルートまたは側管ルートを形成する。たとえば図１−１の本管ルートが連通した状態あるいは図１−２の流入口側の側管ルートが形成された状態から、図１−３の排出口側の側管ルートが連通した状態に回転させた場合において、輸液ルートから注入された輸液は流体通路６に停留することはなく、そのまま排出口４から流出する。また、さらに、図１−３の状態から図１−１の本管ルートが連通した状態に回転させた場合においても、密閉パッキン８を通じて注入した薬液は流体通路６に停留することはなく、そのまま、排出口４から流出する。したがって、本発明の三方活栓は、輸液あるいは追加の薬液の停留に起因する死腔の発生がほとんどない。【００３５】
流路切換部５は外筒部１４と一体化していても、分離していてもよく、図２は、流路切換部５と外筒部１４とが分離している場合の、流路切換部５、密閉パッキン８および外筒部１４を分解した例を示す。図２−１に示すように、外筒部１４の内側はすり鉢状もしくは円筒でもよく、密閉パッキン８を外筒部１４内に収納した際に、密閉パッキン８の外周部分との間に空間を有する構造であることが好ましい。【００３６】
図２−２に示すように、流路切換部５における流体通路６は外周側の一方が開放され、流体通路６の長径方向に垂直な面の断面は、外周方向が開放されたＵ字状となっている。このような外周方向が開放された構造において、開放側が流入口または排出口と面することにより、流路が形成されて側管ルートを形成する。また、流路切換部５は回転突起部２０を有していてもよい。回転突起部２０は、図３に示すような本体部２の下部の下部開口部２１に回転可能なように嵌合することができる。図２−４は流路切換部５の正面図である。
図２−３に示すように、密閉パッキン８は、外部がややすり鉢状で、アルコール等で拭き取りやすい構造を有しており、外筒部１４との隙間を無くすためのひだ状部分を有することが好ましい。密閉パッキン８の上部端部には、外筒部１４との固定を強固にするための折り返し部１３があってもよい。
密閉パッキン８の流体通路に面する側も凹状またはすり鉢状の形態であることが好ましい。【００３７】
図３は、本体部２の底面図（図３−１）、正面図（図３−２）、側面図（図３−３）である。本体部２は、流路切換部５、外筒部１４を収納しうるよう上部Ａが開口している。流路切換部５の下部Ｂは閉じた構造であるが、流路切換部５に回転突起部２０が存在する場合は、下部開口部２１を有していてもよい。下部開口部２１は、流路切換部５の回転中心を固定し、収容位置を確定することができる。下部Ｂの下部開口部２１の大きさは特に限定されず、流路切換部５の回転突起部２０が回転可能なように嵌合するものであればよい。
さらに本体部２は流入口３および排出口４を有し、これらのサイズおよび形状は汎用されている輸液ルートと接続できればよく、特に限定されない。また、一般に使用されるルアーロック構造などを採用することもできる。
【００３８】
図４−１は、密閉パッキン８の一例の斜視図であり、図４−２は正面図である。密閉パッキン８は突起部１０を有することが好ましく、流体通路側の密閉パッキンの表面は凹面状の表面１１であることが好ましい。密閉パッキン８は、リング１２、折り返し部１３を有していてもよい。リング１２、折り返し部１３の材質は、密閉パッキンと同様のものを使用できる。
密閉パッキン８がリング１２を有していない場合、前記流路切換部５と前記外筒部１４とが一体化した形で流路切換部５を形成していてもよい。この場合、密閉パッキン８は一体化した外筒部内に納められ、開口部７を密閉する（図示せず）。
密閉パッキン８は、シリンジ等の挿入のため、切込み９を有している。切込み９の形状は特に限定されないが、たとえば、図４に示すような３枚弁９、あるいは２枚弁（図示せず）であってもよい。このような切れ込みから、注射器等を介して薬液の注入が可能であり、流体通路内の液体の採取も可能である。【００３９】
このような切込み９は、切込みであるがゆえ挿入時以外は開口しない。切込み９は突起部１０から流体通路６につながっているが、密閉パッキンの流体通路側の表面は、凹状構造を有し密閉パッキンの中心に凸状の突起を有する。このような凸状突起の周辺が突起に対して凹状となる構造において、流体通路方向から外部に圧力がかかると、突起の切込みがより閉まる。したがって、内圧がかかった際に閉まる構造となっているため、注射器等の器具挿入時以外は外部に液漏れしない。
切込みの横の長さは、注射器の先端が浸入すると開口する程度の長さが好ましく、切れ込みの深さは、注射器の注入口の先端が少し飛び出す程度であればよい。
前記リング１２は、流体通路からの液体が滲出した場合に、外筒部１４と密閉パッキン８との隙間への浸入を防ぐ機能を有する。また、リング１２は流路切換部５と外筒部１４との間に挟み込んでもよく、この場合、密閉パッキンを流路切換部に固定する機能を有する。【００４０】
密閉パッキン８の固定方法は特に限定されず、開口部７を密閉し、使用中に脱離しなければよい。図５は、密閉パッキン８がリング１２を有する場合の固定手段の一例を示したものである。密閉パッキン８は流路切換部５の上部の開口部７を密閉するように配置され、密閉パッキン８は、流路切換部５の直径と同径程度またはそれ以下の直径のリング１２を有し、該リング１２を流路切換部５と外筒部１４とで挟み込んで固定してもよい。この場合、密閉パッキンの上部は、外筒部１４の内部に入り込んだ状態で、外筒部１４の底面の開口部からリング１２を含む部位が外に出た状態となる。たとえば、リング１２に接着剤あるいは固定具を設けることにより流路切換部５、リング１２および密閉パッキン８、外筒部１４を一体化させることができる。【００４１】
図６は、リング付きの密閉パッキン８を用い、外筒部１４と流路切換部５とで該密閉パッキン８を固定した一例を示す図である。図６−１は、本管ルートが形成されている場合の正面図、図６−２は側面図であり、図６−３は側管ルートが形成されている場合の正面図、図６−４は側面図である。
リング１２付きの密閉パッキン８は、リングより上部の部分が外筒部１４内に保持され、リングより下部の部分が開口部７に入り込む。密閉パッキン８は、折り返し部１３により、外筒部１４に強力に固定させることができる。密閉パッキン８の突起部１０は、流体通路６に面している。【００４２】
図７は、本体部２および流路切換部５を固定機構１５で固定する斜視図を示す。図７−１に示すように、固定機構１５の片方が流路切換部５の外筒部１４に固定され、本体部２に係合する構造において、本体部２に固定機構１５が固定されると、流路切換部５が本体部２に固定される。これにより流路切換部５の回転、位置ずれをなくすことができる。図７−２に示すように、流路を切り換える場合は、固定機構１５を外して流路切換部５を回転させる。【００４３】
図８は、本発明に係る三方活栓１の構成部品の分解図である。三方活栓１は、外筒部１４の中に密閉パッキン８を有し、該密閉パッキン８は、流路切換部５の開口部７を密閉する。流路切換部５は本体部２に回転可能なように液密に装着され、流体通路６は流入口３あるいは排出口４に通じることができる。流路切換部５の回転突起部２０は、本体部２の下部開口部２１を通して挿入され、さらにストッパー１６を挟み込み、固定キャップ１７で固定することができる。
ストッパー１６は、（シリコーンゴム、天然ゴム、ブチルゴム、イソプレンゴムまたはニトリルゴム）などの弾力性のある素材を用いることが好ましい。
流路切換部５は、ストッパー１６、密閉パッキン８および外筒部１４と一体化された構造、すなわちこれらが一体化して回転可能な構造であってもよく、このような構造において、流路変更部５が回転し、流入口３と排出口４とを連通または一方を遮断するような、流路が切り替わる位置で、ストッパー１６につけられた留め具１８と、本体部２の止め受け１９とが固定されると、流路が固定される。
なお本明細書において引用された全ての先行技術文献は、参照として本明細書に組み入れられる。
【産業上の利用可能性】
【００４４】
本発明の三方活栓は、回転面に対して垂直方向であって流体通路に対して開口する開口部を備え、前記流路切換部の流体通路が、その外周側の一方が開放されている構造を有している。たとえば側管ルートを接続する状態の場合、流路切換部を回転させて流入口からの通路を遮断しつつ、同じ流体通路の全体が排出口につながる状態とすることができる。さらに、回転方向と直角方向の開口部に設けられた密閉パッキンに注射器等を装着して、同じ流体通路を通って薬液を排出口に注入することができる。このため、流体通路は常時液体が流れる構造を保てることから、輸液の停留が解消され、死腔の発生がない。
また、追加薬液の注入・輸液の排出等を、薬液等を流したいまたは抽出したい方向に流路切換部を回転させ、流路切換部の開口部に設けられた密閉パッキンを通じて簡便に行うことができる。
このため、本発明に係る三方活栓は、医療用三方活栓として特に好適に使用できる。
【図１−１】
0004749863.tif 000002
【図１−２】
0004749863.tif 000003
【図１−３】
0004749863.tif 000004
【図２】
0004749863.tif 000005
【図３】
0004749863.tif 000006
【図４】
0004749863.tif 000007
【図５】
0004749863.tif 000008
【図６】
0004749863.tif 000009
【図７】
0004749863.tif 000010
【図８】
0004749863.tif 000011
【図９】
0004749863.tif 000012
【図１０】
0004749863.tif 000013
【図１１】
0004749863.tif 000014